(57)【要約】【課題】事前にアラームの通知先を登録することなく、速やかにアラームを多くの受信端末に通知することができる監視カメラシステム及びネットワーク監視カメラを得ることを目的とする。【解決手段】ネットワーク監視カメラ１−１〜１−８，２−１〜２−８がアラームを検知すると、映像信号Ｓ１に付与するマルチキャストアドレスＭＡ１と異なるマルチキャストアドレスＭＡ２をアラーム信号Ｓ２に付与して、そのアラーム信号Ｓ２をマルチキャストルータ３−１，３−２に送信する。【選択図】図１
2007158533.tif 000002
【特許請求の範囲】
【請求項１】
監視エリアを撮影して映像信号を生成し、その映像信号にマルチキャストアドレスを付与して、その映像信号を送信する複数のネットワーク監視カメラと、上記ネットワーク監視カメラから送信された映像信号を受信すると、その映像信号に付与されているマルチキャストアドレスから当該映像信号の宛先を特定し、その宛先に映像信号を配信するマルチキャストルータと、上記マルチキャストルータにより配信された映像信号を受信する複数の受信端末とを備えた監視カメラシステムにおいて、上記ネットワーク監視カメラはアラームを検知すると、上記映像信号に付与するマルチキャストアドレスと異なるマルチキャストアドレスをアラーム信号に付与して、そのアラーム信号を上記マルチキャストルータに送信することを特徴とする監視カメラシステム。
【請求項２】
マルチキャストルータは、受信端末から配信を受け付けるアラーム信号の送信元が指定されている場合、指定されている送信元以外のネットワーク監視カメラからアラーム信号を受信しても、そのアラーム信号を上記受信端末に配信せずに、指定されている送信元のネットワーク監視カメラからアラーム信号を受信した場合に限り、そのアラーム信号を上記受信端末に配信することを特徴とする請求項１記載の監視カメラシステム。
【請求項３】
マルチキャストルータは、ネットワーク監視カメラからアラーム信号を受信すると、そのアラーム信号を他のネットワーク監視カメラに配信することを特徴とする請求項１記載の監視カメラシステム。
【請求項４】
マルチキャストルータは、他のネットワーク監視カメラから配信を受け付けるアラーム信号の送信元が指定されている場合、指定されている送信元以外のネットワーク監視カメラからアラーム信号を受信しても、そのアラーム信号を他のネットワーク監視カメラに配信せずに、指定されている送信元のネットワーク監視カメラからアラーム信号を受信した場合に限り、そのアラーム信号を他のネットワーク監視カメラに配信することを特徴とする請求項３記載の監視カメラシステム。
【請求項５】
複数のアラームの検知処理を実施し、いずれかのアラームを検知すると、そのアラームに対応するアラーム信号を生成して、そのアラーム信号にマルチキャストアドレスを付与し、そのアラーム信号をマルチキャストルータに送信するアラーム処理装置を設けたことを特徴とする請求項１から請求項４のうちのいずれか１項記載の監視カメラシステム。
【請求項６】
監視エリアを撮影して映像信号を生成し、その映像信号を符号化する映像信号生成手段と、上記映像信号生成手段により符号化された映像信号にマルチキャストアドレスを付与する第１のマルチキャストアドレス付与手段と、アラームを検知してアラーム信号を生成するアラーム信号生成手段と、上記第１のマルチキャストアドレス付与手段により映像信号に付与されるマルチキャストアドレスと異なるマルチキャストアドレスを上記アラーム信号生成手段により生成されたアラーム信号に付与する第２のマルチキャストアドレス付与手段と、上記第１のマルチキャストアドレス付与手段によりマルチキャストアドレスが付与された映像信号又は上記第２のマルチキャストアドレス付与手段によりマルチキャストアドレスが付与されたアラーム信号をマルチキャストルータに送信する送信手段とを備えたネットワーク監視カメラ。
【請求項７】
他のネットワーク監視カメラから送信されたアラーム信号をマルチキャストルータを介して受信するアラーム信号受信手段と、上記アラーム信号受信手段により受信されたアラーム信号に応じて映像信号生成手段の処理内容を制御する処理内容制御手段とを設けたことを特徴とする請求項６記載のネットワーク監視カメラ。
【請求項８】
アラーム信号受信手段は、予め受信を受け付けるアラーム信号の送信元をマルチキャストルータに指示することを特徴とする請求項６記載のネットワーク監視カメラ。
【発明の詳細な説明】
【技術分野】
【０００１】
この発明は、ネットワークを介して映像を集配信する監視カメラシステムに関するものであり、特にアラーム信号を複数の受信端末に配信する監視カメラシステム及びネットワーク監視カメラに関するものである。
【背景技術】
【０００２】
近年のブロードバンドインフラの普及に伴って、ネットワークを介して、映像を配信する監視カメラシステムは、あらゆる分野で普及し始めている。
また、監視カメラシステムのネットワーク監視カメラから配信される映像信号を受信して記録する記録装置、あるいは、ネットワーク監視カメラから配信される映像信号を受信して表示する表示装置などの受信端末が、警報装置と連動して動作する監視カメラシステムも提案されている。
【０００３】
従来の監視カメラシステムでは、監視カメラに設けられているセンサが異常を検知すると、監視カメラが異常発生検知信号をネットワーク上の中継装置に送信するようにしている。
中継装置は、ネットワークに接続されているパーソナルコンピュータのうち、予め、アラーム通知の配信を希望するパーソナルコンピュータを登録しておき、ある監視カメラから異常発生検知信号を受信すると、現在登録しているパーソナルコンピュータにアラームを通知するようにしている（例えば、特許文献１参照）。
なお、中継装置からパーソナルコンピュータに対するアラームの通知はユニキャストで行われるので、登録されているパーソナルコンピュータの台数が増加すると、登録されている全てのパーソナルコンピュータが中継装置からアラームの通知を受信するまでに多くの時間を要することになる。
【０００４】
【特許文献１】特開２００１−２２９４７９号公報（段落番号［０００６］、図１）
【発明の開示】
【発明が解決しようとする課題】
【０００５】
従来の監視カメラシステムは以上のように構成されているので、事前にアラームを通知するパーソナルコンピュータを登録しなければ、中継装置が監視カメラから異常発生検知信号を受信しても、アラームを通知することができず、ネットワークに接続されるパーソナルコンピュータの構成が変更される都度、アラームの通知先を登録しなければならない課題があった。
また、中継装置がユニキャストでアラームをパーソナルコンピュータに通知するため、登録されているパーソナルコンピュータの台数が増加すると、登録されている全てのパーソナルコンピュータが中継装置からアラームの通知を受信するまでに多くの時間を要する課題もあった。
【０００６】
この発明は上記のような課題を解決するためになされたもので、事前にアラームの通知先を登録することなく、速やかにアラームを多くの受信端末に通知することができる監視カメラシステム及びネットワーク監視カメラを得ることを目的とする。
【課題を解決するための手段】
【０００７】
この発明に係る監視カメラシステムは、ネットワーク監視カメラがアラームを検知すると、映像信号に付与するマルチキャストアドレスと異なるマルチキャストアドレスをアラーム信号に付与して、そのアラーム信号をマルチキャストルータに送信するようにしたものである。
【発明の効果】
【０００８】
この発明によれば、ネットワーク監視カメラがアラームを検知すると、映像信号に付与するマルチキャストアドレスと異なるマルチキャストアドレスをアラーム信号に付与して、そのアラーム信号をマルチキャストルータに送信するように構成したので、事前にアラームの通知先を登録することなく、速やかにアラームを多くの受信端末に通知することができる効果がある。
【発明を実施するための最良の形態】
【０００９】
実施の形態１．
図１はこの発明の実施の形態１による監視カメラシステムを示す構成図であり、図において、ネットワーク監視カメラ１−１〜１−８はマルチキャストルータ３−１に接続されており、ネットワーク監視カメラ１−１〜１−８は所定の監視エリアを撮影して映像信号を生成し、その映像信号にマルチキャストアドレスを付与して、その映像信号をマルチキャストルータ３−１に送信する。また、アラームを検知すると、その映像信号に付与するマルチキャストアドレスと異なるマルチキャストアドレスをアラーム信号に付与して、そのアラーム信号をマルチキャストルータ３−１に送信する。
ネットワーク監視カメラ２−１〜２−８はマルチキャストルータ３−２に接続されており、ネットワーク監視カメラ２−１〜２−８は所定の監視エリアを撮影して映像信号を生成し、その映像信号にマルチキャストアドレスを付与して、その映像信号をマルチキャストルータ３−２に送信する。また、アラームを検知すると、その映像信号に付与するマルチキャストアドレスと異なるマルチキャストアドレスをアラーム信号に付与して、そのアラーム信号をマルチキャストルータ３−２に送信する。
【００１０】
マルチキャストルータ３−１はネットワーク監視カメラ１−１〜１−８から送信された映像信号又はアラーム信号を受信すると、その映像信号又はアラーム信号をマルチキャストルータ３−３に配信する。
マルチキャストルータ３−２はネットワーク監視カメラ２−１〜２−８から送信された映像信号又はアラーム信号を受信すると、その映像信号又はアラーム信号をマルチキャストルータ３−３に配信する。
マルチキャストルータ３−３はマルチキャストルータ３−１，３−２から配信された映像信号又はアラーム信号を受信すると、その映像信号又はアラーム信号に付与されているマルチキャストアドレスから当該映像信号又はアラーム信号の宛先を特定し、その宛先に映像信号又はアラーム信号を配信する。
【００１１】
表示装置４−１，４−２はマルチキャストルータ３−３により配信された映像信号を受信すると、その映像信号にしたがって監視エリアの映像を表示する一方、マルチキャストルータ３−３により配信されたアラーム信号を受信すると、例えば、映像の解像度を高める処理を実施する。
記録装置５はマルチキャストルータ３−３により配信された映像信号を受信すると、その映像信号を記録する一方、マルチキャストルータ３−３により配信されたアラーム信号を受信すると、例えば、その映像信号の記録レートを高める処理を実施する。
なお、表示装置４−１，４−２及び記録装置５は受信端末を構成している。
【００１２】
図２はこの発明の実施の形態１による監視カメラシステムのネットワーク監視カメラ１−１〜１−８，２−１〜２−８を示す構成図であり、図において、撮像部１１は所定の監視エリアを撮影して映像信号を生成するカメラを実装している。
画像符号化部１２は撮像部１１のカメラにより生成された映像信号を符号化し、符号化後の映像信号を出力する。なお、撮像部１１及び画像符号化部１２から映像信号生成手段が構成されている。
マルチキャストアドレス生成部１３は画像符号化部１２から出力された符号化後の映像信号にマルチキャストアドレスを付与する処理を実施する。なお、マルチキャストアドレス生成部１３は第１のマルチキャストアドレス付与手段を構成している。
【００１３】
アラーム受信部１４は外部からアラームを受信する処理、あるいは、内蔵しているセンサがアラームを検知する処理を実施する。
アラーム信号生成部１５はアラーム受信部１４がアラームを受信、あるいは、アラームを検知すると、アラーム信号を生成する。
なお、アラーム受信部１４及びアラーム信号生成部１５からアラーム信号生成手段が構成されている。
【００１４】
マルチキャストアドレス生成部１６はマルチキャストアドレス生成部１３により映像信号に付与されるマルチキャストアドレスと異なるマルチキャストアドレスをアラーム信号生成部１５により生成されたアラーム信号に付与する処理を実施する。なお、マルチキャストアドレス生成部１６は第２のマルチキャストアドレス付与手段を構成している。
ネットワークＩ／Ｆ１７はマルチキャストアドレス生成部１３によりマルチキャストアドレスが付与された映像信号又はマルチキャストアドレス生成部１６によりマルチキャストアドレスが付与されたアラーム信号をＩＰパケット化し、ネットワークを介して、ＩＰパケットをマルチキャストルータ３−１又は３−２に送信する。なお、ネットワークＩ／Ｆ１７は送信手段を構成している。
【００１５】
次に動作について説明する。
この実施の形態１の監視カメラシステムの動作を説明する前に、アラーム信号を伝送する際に、マルチキャストアドレスを用いない一般的な監視カメラシステムについて説明する。
図６は一般的なネットワーク監視カメラ６−１〜６−８，７−１〜７−８を使用している監視カメラシステムを示す構成図である。
図６において、ネットワーク監視カメラ６−１〜６−８，７−１〜７−８は、ネットワーク監視カメラ１−１〜１−８，２−１〜２−８と同様に、所定の監視エリアを撮影して映像信号を生成し、その映像信号にマルチキャストアドレスを付与して、その映像信号をマルチキャストルータ３−１に送信するが、アラームを検知してアラーム信号を生成しても、そのアラーム信号にマルチキャストアドレスを付与することなく、マルチキャストルータ３−１，３−２，３−３を介して、そのアラーム信号を制御装置８に送信する。
制御装置８はネットワーク監視カメラ６−１〜６−８，７−１〜７−８からアラーム信号を受信すると、そのアラーム信号をユニキャストで表示装置４−１，４−２及び記録装置５に送信する。
【００１６】
例えば、ネットワークに１００ＢＡＳＥ−ＴＸを使用する場合、１本の回線で伝送することが可能なデータ容量は１００Ｍｂｉｔ／ｓｅｃである。
一方、映像の圧縮符号化にＪＰＥＧを用いるネットワーク監視カメラの場合、符号化の圧縮率によって異なるが、例えば、画像サイズが６４０×４８０ピクセルで、３０フレーム／ｓｅｃの映像の場合、およそ８Ｍｂｉｔ／ｓｅｃの容量になる。
【００１７】
このようなネットワーク監視カメラの映像を１００ＢＡＳＥ−ＴＸを用いて伝送する場合、回線Ｌ１が１００Ｍｂｉｔ／ｓｅｃを超えないようなネットワーク監視カメラの接続台数は、最大で１２台（９６Ｍｂｉｔ／ｓｅｃ）になる。
ただし、一般的には、回線の容量に余裕を持たせて１台のルータに接続するため、ネットワーク監視カメラの接続台数を８台程度にして運用している。
【００１８】
しかし、大規模な監視カメラシステムでは、数十台から数百台のカメラを使用することも珍しくなく、１台のルータでは足りないため、複数のルータを使用した多段接続によって接続するカメラの台数を増やしている。
図６の例では、３台のマルチキャストルータ３−１，３−２，３−３を使用して、１６台のネットワーク監視カメラ６−１〜６−８，７−１〜７−８を接続している。実際には、もっと多くのルータを使用して、数十台から数百台のカメラを接続して大規模のシステムを構築している。
【００１９】
図６の例では、マルチキャストルータ３−１，３−２に８台ずつネットワーク監視カメラ６−１〜６−８，７−１〜７−８が接続されており、回線Ｌ１，Ｌ２には、各々６４Ｍｂｉｔ／ｓｅｃの映像信号が流れている。
マルチキャストアドレスを使用して映像信号を伝送する場合、複数の受信端末に映像信号を同時に配信することができる。
したがって、表示装置４−１，４−２及び記録装置５には、ネットワーク監視カメラ６−１〜６−８，７−１〜７−８により撮像された映像の全て伝送されてくる。
【００２０】
図６の例では、マルチキャストに対応しているマルチキャストルータ３−３を使用しているが、マルチキャストルータ３−３の代わりに、マルチキャストに対応していないルータを使用すると、例えば、表示装置４−１に接続している回線Ｌ３には、ネットワーク監視カメラ６−１〜６−８，７−１〜７−８から送信された全ての映像信号、即ち、合計１２８Ｍｂｉｔ／ｓｅｃの映像信号が流れてしまうため、回線Ｌ３の容量がオーバーして正常なデータ伝送ができなくなる。
【００２１】
図６のように、マルチキャストに対応しているマルチキャストルータ３−３を使用すると、例えば、表示装置４−１は、映像信号の受信を受け付ける送信元のネットワーク監視カメラをマルチキャストルータ３−３に指示することができる。
即ち、表示装置４−１は、ネットワーク監視カメラ６−１〜６−８，７−１〜７−８から送信される映像信号のうち、ネットワーク監視カメラ６−１〜６−８から送信される映像信号のみを配信したのち、一定時間後に、ネットワーク監視カメラ７−１〜７−８から送信される映像信号のみを配信するように、マルチキャストルータ３−３に指示することができる。
表示装置４−１は、上記のような指示をマルチキャストルータ３−３に与えることにより、時分割でカメラ映像を切り替えながら、回線Ｌ３の容量をオーバーすることなく、全てのネットワーク監視カメラ６−１〜６−８，７−１〜７−８の映像信号を受信して、映像を表示することができる。
【００２２】
次に、例えば、ネットワーク監視カメラ６−１がアラームを検知すると、ネットワーク監視カメラ６−１がユニキャストアドレスを使用して、アラーム信号Ｓ２を制御装置８に送信する。
制御装置８は、ネットワーク監視カメラ６−１からマルチキャストルータ３−１，３−２，３−３を介してアラーム信号Ｓ２を受信すると、そのアラーム信号Ｓ２をユニキャストで表示装置４−１，４−２及び記録装置５に送信する。
即ち、制御装置８は、そのアラーム信号Ｓ２を例えば表示装置４−１，４−２，記録装置５の順番で送信する。
【００２３】
表示装置４−１，４−２は、制御装置８からアラーム信号Ｓを受信すると、より高精度な監視を行えるようにするために、例えば、映像の解像度を高める処理を実施する。
記録装置５も、制御装置８からアラーム信号Ｓを受信すると、より高精度な監視を行えるようにするために、例えば、その映像信号の記録レートを高める処理を実施する。
なお、表示装置４−１，４−２及び記録装置５における解像度や記録レートの変更自体は、周知の技術であるため、ここでは詳細な説明は省略する（例えば、特開２００４−９４９７１号公報を参照）。
【００２４】
このように、図６の例では、制御装置８がアラーム信号Ｓ２を受信してから、そのアラーム信号Ｓ２を順番に表示装置４−１，４−２及び記録装置５に送信する必要がある。
受信端末の台数が少ない場合には、比較的速やかにアラーム信号Ｓ２を全ての受信端末に送信することができるが、監視カメラシステムの規模が大きく、受信端末の台数が増加してくると、全ての受信端末がアラーム信号Ｓ２を受信するまでに多大な時間を要するようになる。
そこで、この実施の形態１の監視カメラシステムでは、ネットワーク監視カメラ１−１〜１−８，２−１〜２−８から送信されるアラーム信号Ｓ２についてもマルチキャストアドレスを使用して送信するようにしている。
具体的には、以下の通りである。ただし、ここでは、説明の便宜上、ネットワーク監視カメラ１−１が映像信号Ｓ１とアラーム信号Ｓ２を送信するものとして説明するが、その他のネットワーク監視カメラ１−２〜１−８，２−１〜２−８も同様に、映像信号Ｓ１とアラーム信号Ｓ２を送信する。
【００２５】
ネットワーク監視カメラ１−１は、映像信号を送信する場合、撮像部１１のカメラが所定の監視エリアを撮影して映像信号Ｓ１を生成する。
画像符号化部１２は、撮像部１１のカメラが映像信号Ｓ１を生成すると、その映像信号Ｓ１を符号化し、符号化後の映像信号Ｓ１をマルチキャストアドレス生成部１３に出力する。
マルチキャストアドレス生成部１３は、画像符号化部１２から符号化後の映像信号Ｓ１を受けると、その符号化後の映像信号Ｓ１にマルチキャストアドレスＭＡ１を付与する。
【００２６】
一方、ネットワーク監視カメラ１−１は、アラーム信号を送信する場合、アラーム受信部１４が外部からアラームを受信、あるいは、内蔵しているセンサがアラームを検知すると、その旨をアラーム信号生成部１５に通知する。
アラーム信号生成部１５は、アラーム受信部１４からアラームの受信／検知通知を受けると、アラーム信号Ｓ２を生成する。
マルチキャストアドレス生成部１６は、アラーム信号生成部１５がアラーム信号Ｓ２を生成すると、マルチキャストアドレス生成部１３により映像信号Ｓ１に付与されるマルチキャストアドレスＭＡ１と異なるマルチキャストアドレスＭＡ２をアラーム信号Ｓ２に付与する。
【００２７】
ネットワークＩ／Ｆ１７は、マルチキャストアドレス生成部１３からマルチキャストアドレスＭＡ１が付与された映像信号Ｓ１を受けると、その映像信号Ｓ１をＩＰパケット化し、そのＩＰパケットをマルチキャストルータ３−１に送信する。
また、ネットワークＩ／Ｆ１７は、マルチキャストアドレス生成部１６からマルチキャストアドレスＭＡ２が付与されたアラーム信号Ｓ２を受けると、そのアラーム信号Ｓ２をＩＰパケット化し、そのＩＰパケットをマルチキャストルータ３−１に送信する。
【００２８】
マルチキャストルータ３−１は、ネットワーク監視カメラ１−１から送信された映像信号Ｓ１又はアラーム信号Ｓ２を受信すると、その映像信号Ｓ１又はアラーム信号Ｓ２をマルチキャストルータ３−３に配信する。
マルチキャストルータ３−３は、マルチキャストルータ３−１から映像信号Ｓ１を受信すると、その映像信号Ｓ１に付与されているマルチキャストアドレスＭＡ１から映像信号Ｓ１の宛先を特定する。図１の例では、表示装置４−１，４−２及び記録装置５が映像信号Ｓ１の宛先であると特定されるものとする。
例えば、マルチキャストルータ３−３が、表示装置４−１，４−２及び記録装置５から、ネットワーク監視カメラ１−１〜１−８から送信される映像信号Ｓ１と、ネットワーク監視カメラ２−１〜２−８から送信される映像信号Ｓ１とを順番に配信するように指示されている場合、マルチキャストルータ３−３は、マルチキャストルータ３−１の映像信号Ｓ１を配信してもよい順番であれば、その映像信号Ｓ１を表示装置４−１，４−２及び記録装置５に配信する。
【００２９】
また、マルチキャストルータ３−３は、マルチキャストルータ３−１からアラーム信号Ｓ２を受信すると、そのアラーム信号Ｓ２に付与されているマルチキャストアドレスＭＡ２からアラーム信号Ｓ２の宛先を特定する。図１の例では、表示装置４−１，４−２及び記録装置５がアラーム信号Ｓ２の宛先であると特定されるものとする。
例えば、マルチキャストルータ３−３が、表示装置４−１，４−２及び記録装置５から、ネットワーク監視カメラ１−１〜１−８，２−１〜２−８から送信されるアラーム信号Ｓ２を常時配信するように指示されている場合（アラーム信号Ｓ２を受信すると、直ちに配信するように指示されている場合）、マルチキャストルータ３−３は、マルチキャストルータ３−１からアラーム信号Ｓ２を受信すると、直ちに、そのアラーム信号Ｓ２を表示装置４−１，４−２及び記録装置５に配信する。
【００３０】
ここでは、マルチキャストルータ３−３が、映像信号Ｓ１及びアラーム信号Ｓ２に付与されているマルチキャストアドレスＭＡ１，ＭＡ２を解析して、その映像信号Ｓ１及びアラーム信号Ｓ２の宛先を特定しているが、表示装置４−１，４−２及び記録装置５の指示内容によって、マルチキャストアドレスＭＡ１，ＭＡ２に対応する信号の配信タイミングを定義しておけば、マルチキャストアドレスＭＡ１，ＭＡ２を解析するだけで、映像信号Ｓ１とアラーム信号Ｓ２の配信タイミングを特定することができる。これにより、例えば、受信信号のマルチキャストアドレスがＭＡ２であることが判明すれば、直ちに受信信号であるアラーム信号Ｓ２を表示装置４−１，４−２及び記録装置５に配信する必要があることを認識することができる。
【００３１】
表示装置４−１，４−２は、マルチキャストルータ３−３からアラーム信号Ｓを受信すると、より高精度な監視を行えるようにするために、例えば、映像の解像度を高める処理を実施する。
記録装置５も、マルチキャストルータ３−３からアラーム信号Ｓを受信すると、より高精度な監視を行えるようにするために、例えば、その映像信号の記録レートを高める処理を実施する。
【００３２】
この実施の形態１によれば、ネットワーク監視カメラ１−１から映像信号Ｓ１が送信されてこない場合でも、ネットワーク監視カメラ１−１から送信されたアラーム信号Ｓ２を直ちに表示装置４−１等に配信することができるが、一般的に、アラーム信号Ｓ２は、映像信号Ｓ１と比べて遥かにデータサイズが小さい上（映像信号の数十分の一程度）、映像信号Ｓ１のように常にデータが流れるわけではないので、たとえ数百台のネットワーク監視カメラのアラーム信号Ｓ２を受信する設定を行っても、回線の容量を圧迫するには至らない。
【００３３】
また、マルチキャストアドレスＭＡ２によるアラーム信号Ｓ２は、表示装置４−１，４−２及び記録装置５に同時に配信されるため、表示装置４−１，４−２及び記録装置５は、アラーム信号Ｓ２の受信によって同時に各々独立した動作モードに切り替えることができる。
例えば、表示装置４−１，４−２の表示切替や記録装置５の記録レートの変更などを、各機器が独立して行うことができる。これにより、アラーム受信から動作モードの切り替えまでの時間を短くすることができる。
【００３４】
この実施の形態１では、マルチキャストルータ３−３が表示装置４−１，４−２及び記録装置５の全てにアラーム信号Ｓ２を配信するものについて示したが、表示装置４−１，４−２及び記録装置５は、アラーム信号Ｓ２の受信を受け付ける送信元（アラーム信号Ｓ２の配信を許可するネットワーク監視カメラ）を設定することができる。
例えば、表示装置４−１は、ネットワーク監視カメラ１−１〜１−８のアラーム信号Ｓ２を受信するが、ネットワーク監視カメラ２−１〜２−８のアラーム信号Ｓ２は受信しないなどの設定を行うことができる。
同様に、表示装置４−２は、ネットワーク監視カメラ２−１〜２−８のアラーム信号Ｓ２を受信するが、ネットワーク監視カメラ１−１〜１−８のアラーム信号Ｓ２は受信しないなどの設定を行うことができる。
【００３５】
以上で明らかなように、この実施の形態１によれば、ネットワーク監視カメラ１−１〜１−８，２−１〜２−８がアラームを検知すると、映像信号Ｓ１に付与するマルチキャストアドレスＭＡ１と異なるマルチキャストアドレスＭＡ２をアラーム信号Ｓ２に付与して、そのアラーム信号Ｓ２をマルチキャストルータ３−１，３−２に送信するように構成したので、事前にアラームの通知先を登録することなく、速やかにアラームを多くの受信端末に通知することができる効果を奏する。
【００３６】
また、この実施の形態１によれば、マルチキャストルータ３−３が受信端末から配信を受け付けるアラーム信号Ｓ２の送信元が指定されている場合、指定されている送信元以外のネットワーク監視カメラからアラーム信号Ｓ２を受信しても、そのアラーム信号Ｓ２を当該受信端末に配信せずに、指定されている送信元のネットワーク監視カメラからアラーム信号Ｓ２を受信した場合に限り、そのアラーム信号Ｓ２を当該受信端末に配信するように構成したので、受信端末に係る監視対象と無関係な監視エリアに配置されているネットワーク監視カメラのアラーム信号Ｓ２に対する信号処理を省略することができるようになり、その結果、受信端末におけるアラーム信号Ｓ２の受信時の処理負荷を軽減することができる効果を奏する。
【００３７】
実施の形態２．
図３はこの発明の実施の形態２による監視カメラシステムのネットワーク監視カメラ１−１〜１−８，２−１〜２−８を示す構成図であり、図において、図２と同一符号は同一または相当部分を示すので説明を省略する。
マルチキャストアラーム信号受信部１８はマルチキャストルータ３−１，３−２があるネットワーク監視カメラからアラーム信号Ｓ２を受信すると、そのアラーム信号Ｓ２を他のネットワーク監視カメラに配信するように構成されている場合、マルチキャストルータ３−１，３−２から配信されたアラーム信号Ｓ２を受信する。マルチキャストアラーム信号受信部１８はアラーム信号受信手段を構成している。
アラーム信号解析部１９はマルチキャストアラーム信号受信部１８により受信されたアラーム信号Ｓ２を解析して、そのアラーム信号Ｓ２の送信元を特定し、例えば、送信元のネットワーク監視カメラが近傍に設置されているネットワーク監視カメラであれば、映像信号Ｓ１の解像度やフレームレートを上げる指示を画像符号化部１２に与えるなどの処理を実施する。なお、アラーム信号解析部１９は処理内容制御手段を構成している。
【００３８】
次に動作について説明する。
上記実施の形態１では、マルチキャストルータ３−１，３−２がネットワーク監視カメラ１−１〜１−８，２−１〜２−８からアラーム信号Ｓ２を受信すると、そのアラーム信号Ｓ２をマルチキャストルータ３−３に配信するものについて示したが、この実施の形態２では、例えば、マルチキャストルータ３−１がネットワーク監視カメラ１−１からアラーム信号Ｓ２を受信すると、上記実施の形態１と同様に、そのアラーム信号Ｓ２をマルチキャストルータ３−３に配信する他、そのアラーム信号Ｓ２をネットワーク監視カメラ１−２〜１−８にも配信するようにしている。
【００３９】
監視カメラシステムは、１つの監視エリアを複数のネットワーク監視カメラで監視することが一般的である。
１つの監視エリアを複数のネットワーク監視カメラで監視する場合、あるネットワーク監視カメラがアラームを検知すると、そのネットワーク監視カメラと同一の監視エリアを監視している近傍の他のネットワーク監視カメラも、アラーム検出時と同様の動作モードに切り替えた方が、より確実にアラーム発生時の状況を監視することができる。
【００４０】
例えば、ネットワーク監視カメラ１−２〜１−８のマルチキャストアラーム信号受信部１８は、マルチキャストルータ３−１から送信元がネットワーク監視カメラ１−１のアラーム信号Ｓ２を受信すると、そのアラーム信号Ｓ２をアラーム信号解析部１９に出力する。
ネットワーク監視カメラ１−２〜１−８のアラーム信号解析部１９は、マルチキャストアラーム信号受信部１８からアラーム信号Ｓ２を受けると、そのアラーム信号Ｓ２を解析して、そのアラーム信号Ｓ２の送信元を特定する。
この例では、アラーム信号Ｓ２の送信元がネットワーク監視カメラ１−１であると特定される。
【００４１】
ネットワーク監視カメラ１−２〜１−８のアラーム信号解析部１９は、例えば、送信元のネットワーク監視カメラ１−１が自己と同一の監視エリアを監視しているネットワーク監視カメラである場合（ネットワーク監視カメラ１−１〜１−８，２−１〜２−８は、予め、自己と同一の監視エリアを監視しているネットワーク監視カメラを認識しているものとする）、画像符号化部１２のパラメータをアラーム検知時の設定に切り替えるように制御する。
例えば、映像信号Ｓ１の解像度やフレームレートを上げる指示を画像符号化部１２に与えるようにする。
【００４２】
これにより、表示装置４−１，４−２や記録装置５、あるいは、ネットワーク監視カメラを制御する装置の指示を待つことなく、画像符号化部１２のパラメータをアラーム検知時の設定に切り替えることができるため、同一の監視エリアを監視している複数のネットワーク監視カメラが迅速かつ確実にアラーム発生時の状況を監視することができる。
【００４３】
この実施の形態２では、マルチキャストルータ３−１がネットワーク監視カメラ１−１のアラーム信号Ｓ２を受信すると、そのアラーム信号Ｓ２をネットワーク監視カメラ１−２〜１−８に配信するものについて示したが、ネットワーク監視カメラ１−２〜１−８のうち、ネットワーク監視カメラ１−１から送信されたアラーム信号Ｓ２の受信を受け付ける設定がなされているネットワーク監視カメラにのみアラーム信号Ｓ２を配信するようにしてもよい。
例えば、ネットワーク監視カメラ１−２がネットワーク監視カメラ１−１から送信されたアラーム信号Ｓ２の受信を受け付けるが、ネットワーク監視カメラ１−８がネットワーク監視カメラ１−１から送信されたアラーム信号Ｓ２の受信を受け付けない旨の設定がなされている場合、マルチキャストルータ３−１は、ネットワーク監視カメラ１−１のアラーム信号Ｓ２を受信したとき、そのアラーム信号Ｓ２をネットワーク監視カメラ１−２には配信するが、そのアラーム信号Ｓ２をネットワーク監視カメラ１−８には配信しないようにする。
これにより、ネットワーク監視カメラ１−８では、不要なアラーム信号Ｓ２に対する信号処理を省略することができるようになり、その結果、ネットワーク監視カメラ１−８におけるアラーム信号Ｓ２の受信時の処理負荷を軽減することができる。
【００４４】
実施の形態３．
図４はこの発明の実施の形態３による監視カメラシステムを示す構成図であり、図において、図１と同一符号は同一または相当部分を示すので説明を省略する。
ネットワーク監視カメラ９−１〜９−８は図１のネットワーク監視カメラ１−１〜１−８と同様に、所定の監視エリアを撮影して映像信号を生成し、その映像信号にマルチキャストアドレスを付与して、その映像信号をマルチキャストルータ３−１に送信する。ただし、ネットワーク監視カメラ９−１〜９−８は図１のネットワーク監視カメラ１−１〜１−８と異なり、アラームを検知してアラーム信号を生成する処理は実施しない。
ネットワーク監視カメラ１０−１〜１０−８は図１のネットワーク監視カメラ２−１〜２−８と同様に、所定の監視エリアを撮影して映像信号を生成し、その映像信号にマルチキャストアドレスを付与して、その映像信号をマルチキャストルータ３−２に送信する。ただし、ネットワーク監視カメラ１０−１〜１０−８は図１のネットワーク監視カメラ２−１〜２−８と異なり、アラームを検知してアラーム信号を生成する処理は実施しない。
【００４５】
アラーム処理装置２１は複数のアラームの検知処理を実施し、いずれかのアラームを検知すると、そのアラームに対応するアラーム信号Ｓ２を生成して、そのアラーム信号Ｓ２にマルチキャストアドレスを付与し、そのアラーム信号Ｓ２をマルチキャストルータ３−１に送信する処理を実施する。
【００４６】
図５はこの発明の実施の形態３による監視カメラシステムのアラーム処理装置２１を示す構成図であり、図において、アラーム受信部３１−１〜３１−ＮはセンサＴ1〜ＴNがアラームを検知すると、センサＴ1〜ＴNからアラーム１〜Ｎを受信する。
アラーム信号生成部３２はアラーム受信部３１−１〜３１−Ｎがアラーム１〜Ｎを受信すると、そのアラーム１〜Ｎに対応するアラーム信号Ｓ２を生成する。
マルチキャストアドレス生成部３３はマルチキャストアドレス生成部３２により生成されたアラーム信号Ｓ２にマルチキャストアドレスＭＡ−ｎ（アラーム１〜Ｎ毎に異なるマルチキャストアドレス）を付与する。
ネットワークＩ／Ｆ３４はマルチキャストアドレス生成部３３によりマルチキャストアドレスＭＡ−ｎが付与されたアラーム信号Ｓ２をＩＰパケット化し、ネットワークを介して、ＩＰパケットをマルチキャストルータ３−１に送信する。
【００４７】
次に動作について説明する。
アラーム処理装置２１のアラーム受信部３１−１〜３１−Ｎは、センサＴ1〜ＴNがアラームを検知すると、センサＴ1〜ＴNからアラーム１〜Ｎを受信する。
アラーム処理装置２１のアラーム信号生成部３２は、アラーム受信部３１−１〜３１−Ｎのうち、いずれかのアラーム受信部からアラームｎ（ｎ＝１，２，・・・，Ｎ）を受けると、そのアラームｎに対応するアラーム信号Ｓ２を生成する。
即ち、いずれのセンサＴ1〜ＴNにより検知されたアラームｎであるのかを区別できるようにアラーム信号Ｓ２を生成する。
【００４８】
アラーム処理装置２１のマルチキャストアドレス生成部３３は、マルチキャストアドレス生成部３２がアラーム信号Ｓ２を生成すると、そのアラーム信号Ｓ２にマルチキャストアドレスＭＡ−ｎを付与する。
ただし、マルチキャストアドレス生成部３３は、アラーム１〜Ｎ毎に異なるマルチキャストアドレスＭＡｎを付与する。例えば、アラーム１のアラーム信号Ｓ２であれば、そのアラーム信号Ｓ２にマルチキャストアドレスＭＡ−１を付与し、アラーム２のアラーム信号Ｓ２であれば、そのアラーム信号Ｓ２にマルチキャストアドレスＭＡ−２を付与し、アラームＮのアラーム信号Ｓ２であれば、そのアラーム信号Ｓ２にマルチキャストアドレスＭＡ−Ｎを付与する。
【００４９】
アラーム処理装置２１のネットワークＩ／Ｆ３４は、マルチキャストアドレス生成部３３がアラーム信号Ｓ２にマルチキャストアドレスＭＡ−ｎを付与すると、そのアラーム信号Ｓ２をＩＰパケット化し、ネットワークを介して、ＩＰパケットをマルチキャストルータ３−１に送信する。
マルチキャストルータ３−１は、アラーム処理装置２１からＩＰパケットを受信すると、そのＩＰパケットをマルチキャストルータ３−３に配信するが、以降、上記実施の形態１，２と同様であるため説明を省略する。
【００５０】
以上で明らかなように、この実施の形態３によれば、複数のアラームの検知処理を実施し、いずれかのアラームを検知すると、そのアラームに対応するアラーム信号Ｓ２を生成して、そのアラーム信号Ｓ２にマルチキャストアドレスを付与し、そのアラーム信号Ｓ２をマルチキャストルータ３−１に送信するアラーム処理装置２１を設けるように構成したので、マルチキャストルータ３−１，３−２に接続するネットワーク監視カメラがアラーム信号の送信機能を備えている必要がなくなり、その結果、監視カメラシステムのコストを低減することができる効果を奏する。
【図面の簡単な説明】
【００５１】
【図１】この発明の実施の形態１による監視カメラシステムを示す構成図である。
【図２】この発明の実施の形態１による監視カメラシステムのネットワーク監視カメラを示す構成図である。
【図３】この発明の実施の形態２による監視カメラシステムのネットワーク監視カメラを示す構成図である。
【図４】この発明の実施の形態３による監視カメラシステムを示す構成図である。
【図５】この発明の実施の形態３による監視カメラシステムのアラーム処理装置を示す構成図である。
【図６】一般的なネットワーク監視カメラを使用している監視カメラシステムを示す構成図である。
【符号の説明】
【００５２】
１−１〜１−８  ネットワーク監視カメラ、２−１〜２−８  ネットワーク監視カメラ、３−１〜３−３  マルチキャストルータ、４−１，４−２  表示装置（受信端末）、５  記録装置（受信端末）、６−１〜６−８  ネットワーク監視カメラ、７−１〜７−８  ネットワーク監視カメラ、９−１〜９−８  ネットワーク監視カメラ、１０−１〜１０−８  ネットワーク監視カメラ、１１  撮像部（映像信号生成手段）、１２  画像符号化部（映像信号生成手段）、１３  マルチキャストアドレス生成部（第１のマルチキャストアドレス付与手段）、１４  アラーム受信部（アラーム信号生成手段）、１５  アラーム信号生成部（アラーム信号生成手段）、１６  マルチキャストアドレス生成部（第２のマルチキャストアドレス付与手段）、１７  ネットワークＩ／Ｆ（送信手段）、１８  マルチキャストアラーム信号受信部（アラーム信号受信手段）、１９  アラーム信号解析部（処理内容制御手段）、２１  アラーム処理装置、３１−１〜３１−Ｎ  アラーム受信部、３２  アラーム信号生成部、３３  マルチキャストアドレス生成部、３４  ネットワークＩ／Ｆ、Ｔ1〜ＴN  センサ。
【図１】
2007158533.tif 000003
【図２】
2007158533.tif 000004
【図３】
2007158533.tif 000005
【図４】
2007158533.tif 000006
【図５】
2007158533.tif 000007
【図６】
2007158533.tif 000008